(57)【要約】【課題】  トナー画像における反射率によりトナー付着量を検出するための発光回路の調整幅を確保しながら確実な消灯を実現し得る構成を提供することを目的とする。【解決手段】  発光手段は入力電圧信号を電流信号に変換する電圧―電流変換回路と、前記電圧―電流変換回路における前記電流信号を、発光素子を有する他の回路において実現するためのカレントミラー回路と前記発光素子とよりなる構成とした。【選択図】  図４
2007079501.tif 000002
【特許請求の範囲】
【請求項１】
発光手段と、
該発光手段により照射され画像形成部分からの反射光を受光する受光手段とよりなり、
前記発光手段は入力電圧信号を電流信号に変換する電圧―電流変換回路と、前記電圧―電流変換回路で得られた前記電流信号を、発光素子を有する他の回路において実現するためのカレントミラー回路とを有してなる発光制御回路。
【請求項２】
前記入力電圧信号が周波数成分を有する際には所定のローパスフィルタを介して前記電圧―電流変換回路に印加する構成とされてなる請求項１に記載の発光制御回路。
【請求項３】
画像形成時の所定の画像形成特徴量を検出する画像形成特徴量検出回路であって、
請求項１又は２に記載の発光制御回路の出力値に基づいて前記所定の画像形成特徴量を検出する構成とされてなる画像形成特徴量検出回路。
【請求項４】
請求項３に記載の画像形成特徴量検出回路の出力値に基づいて前記所定の画像形成特徴量を制御する構成とされた画像形成装置。
【請求項５】
電子写真方式により感光体上に静電潜像を形成し、これを所定のトナーによって現像することによりトナー画像を生成し、転写部材上に転写する構成を有し、
前記画像形成特徴量検出回路は前記転写部材上に付着されたトナーの付着量を検出する構成とされてなる請求項４に記載の画像形成装置。
【請求項６】
前記感光体はフルカラー画像を形成するための各色要素毎に設けられ、各感光体上に形成された各色の静電潜像が該当色のトナーにより現像され、それらのトナー画像が転写部材上に重畳して転写されることによりフルカラー画像が得られる構成とされてなる請求項５に記載の画像形成装置。
【発明の詳細な説明】
【技術分野】
【０００１】
本発明は発光制御回路、同回路を利用した画像形成特徴量検出回路及び同回路を設けた画像形成装置に係り、画像形成における所定の特徴量（画像形成特徴量と称する）を検出するために発光手段の発光量を制御する機能を有する発光制御回路、同回路を利用した画像形成特徴量検出回路及び同回路を設けた画像形成装置に関する。
【背景技術】
【０００２】
電子写真方式のプリンター、ＦＡＸ機，複写機等の画像形成装置において、印刷に係る特徴量を検出し、検出値を基に当該特徴量を制御する機能が知られている。
【０００３】
例えば特許文献１には、画像形成装置において、画像印刷におけるトナー濃度を制御するために図１に示す如くの回路を適用した構成が開示されている。
【０００４】
図１の回路では、Ｄ／Ａ（ディジタル−アナログ）変換器（以下単にＤ／Ａと称する）１０１と発光素子１０８との間に、オペアンプ（演算増幅器）１０４、抵抗１０５及びトランジスタ１０６からなる電流安定化回路（定電圧回路）１０３が設けられている。
【０００５】
このように発光素子の前段に電流安定化回路１０３を設けることにより、Ｄ／Ａ１０１からオペアンプ１０４の非反転入力端子（+）に入力する電圧と同電圧が抵抗１０５に印加され、高精度に光量調整を行うことが可能となる。
【０００６】
また同回路において抵抗1０５に印加される電圧Ｖｒは、電源電圧から発光素子のＬＥＤ順方向電圧とトランジスタ１０６のコレクタエミッタ間電圧とを引いた値となる。すなわち、
Ｖｒ＝（電源電圧）―（発光素子の順方向電圧）−（トランジスタのエミッタ−ベース電圧）
この回路では、Ｄ／Ａ１０１に加えてオペアンプ１０４によるフィードバック回路を設けることにより、定電圧回路を実現している（図２参照）。
【０００７】
この回路において発光素子１０８に流すことができる最大定格電流の値は当該発光素子により決められる一定値である。
【０００８】
ここで発光素子１０８に流れる電流値ＩＦは以下の式（１）で求められる。
ＩＦ＝Ｖｒ／Ｒ    ．．．（１）
上式（１）においてＶｒは抵抗１０５とトランジスタ１０６との間の接続点の電位であり且つ上述するように実質的にＤ／Ａ１０１からの入力値を示し、Ｒは抵抗１０５の抵抗値を示す。
【０００９】
上式（１）においてＶｒの変化率を一定とした場合、発光素子１０８の電流値ＩＦの最大値と抵抗値Ｒとが固定なため、Ｄ／Ａ１０１からの入力値Ｖｒの最大値が大きく且つＲの値が大きいほど発光素子１０８の電流値ＩＦをより細かく調整可能となり、その結果発光素子１０８による発光量をより細かく調整可能となる。
【特許文献１】特開平０４−０６０５６６号公報
【特許文献２】特開２０００−０３２７９８号公報
【特許文献３】特開平１１−２２１９４０号公報
【発明の開示】
【発明が解決しようとする課題】
【００１０】
図１、図２の回路において、例えばＤ／Ａ１０１とオペアンプ１０４との間に何らかの要因でノイズが混入した場合、Ｄ／Ａ１０１の出力をゼロとした場合であっても、図５中、曲線Ｃ１のＰ部に示す如く、オペアンプ１０４に微少な電圧が印加され、結果的に発光素子１０８が微発光してしまう。
【００１１】
発光素子１０８から発光された光による反射光を検知してトナー濃度等を求めるシステムにおいて、このようにノイズにより発光量が影響を受ける現象は好ましくない。
【００１２】
オペアンプ１０４のイマジナリショートを利用した定電圧回路１０３を適用しているため図２中、Ａ点とＢ点とが同電位となる。したがってＤ／Ａ１０１とオペアンプ１０４との間にノイズが混入した場合、Ｂ点においても電位が生じ、もって上記の如く発光素子１０８を有する直列回路に電流が流れ、結果的に発光素子１０８においても電流が流れ、発光素子１０８が微発光するのである。
【００１３】
この問題点の解決のために図２中、符号１１１の部分、すなわち抵抗１０５と接地との間にオフセット用のダイオードを挿入する方法が知られている。
【００１４】
この方法はダイオードにおいて印加電圧が順方向電圧Ｖｄ以下では微少な電流しか流れない特性を利用するものである。したがってＤ／Ａ１０１からの入力、すなわちオペアンプ１０４の入力電圧がダイオードの順方向電圧以下の場合には発光素子１０８を有する直列回路には実質的に電流は流れない。
【００１５】
すなわち、図５の曲線Ｃ２の如く、Ｄ／Ａ１０１からの入力がＶｄ以下では上記直列回路に含まれる抵抗１０５に実質的な電流が流れず、もってＶｒは実質的にゼロのまま維持される。したがってＤ／Ａ１０１からの入力にノイズが混入した場合でもその値がＶｄ以下の場合、発光素子１０８を確実に消灯させることが可能となる。
【００１６】
しかしながらこのように完全に発光素子１０８を消灯させるために上記の如く抵抗１０５と接地との間にダイオードを挿入した場合、ダイオードを挿入しない場合に比して、Ｄ／Ａ１０１を変化させた際に得られるＶｒの変化幅がダイオードの順方向電圧分狭くなる（図５中、曲線Ｃ２）。
【００１７】
その結果発光素子１０８の光量の調整可能な幅が狭まり、発光電流ＩＦの調整に寄与可能な入力電圧幅が狭められてしまうという問題点があった。
【００１８】
又、上記の如く図２の符号１１１の部分にダイオードを挿入する方法の場合、発光素子の最大電流まで調整可能とするためには上記式（１）中のＲ、すなわち抵抗１０５の抵抗値を下げればよい。しかしながらこのように抵抗１０５の抵抗値Ｒを下げた場合、式（１）より、Ｄ／Ａ１０１からの入力に対する発光電流の変化の傾きが増加する（図６中、曲線Ｃ１２）。その結果同じＤ／Ａ１０１からの入力信号の分解能に対し発光電流の分解能が低下することとなり、発光素子１０８の発光量の調整精度が低下してしまう。
【００１９】
本発明はこれらの問題点に鑑み、発光素子の確実な消灯を可能とすると共に発光電流の調整可能な入力電圧幅を広く維持して調整段階数を多くし、もって発光素子の発光量を高精度に調整し得る構成を提供することを目的とする。
【課題を解決するための手段】
【００２０】
本発明は上記課題を解決するため、入力電圧信号を電流信号に変換する電圧―電流変換回路と、前記電圧―電流変換回路で得られた前記電流信号を、発光素子を有する他の回路において実現するためのカレントミラー回路とを設けた。
【００２１】
本発明によれば、電圧―電流変換回路により得られた電流信号がカレントミラー回路により発光素子を有する回路において実現される。その結果、カレントミラー回路を構成するトランジスタ素子が前記オフセット用ダイオードとしても機能することにより前記の如く発光素子に流れる発光電流を実質的にゼロとすることで確実な消灯を可能とし得る（図５中、曲線Ｃ３）。
【００２２】
またオフセット用ダイオードの挿入を不要とすることにより、発光電流、すなわちカレントミラー回路を構成する各トランジスタに流れる電流の調整に寄与可能な電圧範囲を広いまま維持することが可能となる（図５中、曲線Ｃ３）。
【００２３】
又、本発明の回路構成によれば電圧―電流変換回路上にダイオードの追加が不要なため、発光素子の最大電流まで調整可能とするために上記抵抗１０５に対応する抵抗の抵抗値を減少させる必要が無くなる。その結果上式（１）におけるＲ値を減少させる必要がないためＤ／Ａからの入力に対する発光電流の変化の傾きが増加することがない（図６中、曲線Ｃ１３）。その結果同じＤ／Ａからの入力信号の分解能に対し発光電流の分解能が低下することがなく、発光素子の発光量の調整精度が維持することができる。
【発明の効果】
【００２４】
このように本発明によれば高精度に発光量を制御可能な構成を提供できるため、これをトナー濃度、トナー付着量等の画像形成特徴量の検出に適用することにより、簡易な構成で画像形成の品質を高精度に制御可能な画像形成装置を提供することができる。
【発明を実施するための最良の形態】
【００２５】
以下本発明の実施の形態につき図と共に説明する。
【００２６】
本発明の実施の形態は、図３，４において、トナー付着量調整あるいはトナー色合わせ調整時に転写ベルト３上に付着したトナー４を検出する目的で発光素子１５と受光素子１１とを用いた発光制御回路、同回路を利用したトナー付着量検出回路及び同回路を設けた画像形成装置である。
【００２７】
当該発光制御回路において、ディジタルデータをＤ／Ａ変換して発光素子１５の発光量を変化させる制御手段２１にＮＰＮトランジスタ１４のベース端子を接続し、ＮＰＮトランジスタ１４のコレクタ端子を駆動電源Ｖｃｃに接続し、ＮＰＮトランジスタ１４のエミッタ端子は抵抗１６を介し、ＮＰＮトランジスタ１７，１８で構成されたカレントミラー回路１９に接続する。また、カレントミラー回路１９を構成する他方のＮＰＮトランジスタ１８には発光素子１５を接続し、発光素子１５にオフセットを持たせる構成としている。
【００２８】
このような構成の発光制御回路を設けた画像形成装置では、駆動電源Ｖｃｃが低電圧とされた場合であっても制御手段２１で発生される制御電圧で調整可能な電圧範囲を大きくすることが可能であり、その結果、高精度に発光素子１５における出射光量を調整可能となる。
【００２９】
また本発明の実施の形態では上記構成において、周波数成分を持つＰＷＭ（パルス幅変調）信号等の制御信号を前記制御手段２１から入力するような場合においては、別途抵抗とコンデンサとからなるローパスフィルタを制御手段２１とＮＰＮトランジスタ１４との間に設けることが望ましい。
【００３０】
このような構成の発光制御回路を設けた画像形成装置においても、駆動電源Ｖｃｃが低電圧とされた場合であっても制御手段２１で発生される制御電圧で調整可能な電圧範囲を大きくすることが可能であり、その結果、高精度に発光素子１５における出射光量を調整可能となる。
【００３１】
或いは上記いずれかの構成を有する発光制御回路の発光素子１５から出射された光の転写ベルト３からの反射光を検出する受光素子１１の出力からの転写ベルト３上のトナー付着量を検出する検出手段（図８中、制御手段２００）を更に設けてなるトナー付着量検出回路として実施可能である。
【００３２】
このトナー付着量検出回路においては、駆動電源Ｖｃｃが低電圧とされた場合であっても制御手段２１から発生される制御電圧で調整可能な電圧範囲を大きくすることが可能であり、その結果トナー付着量を検出する際に高精度に光量を調整することが可能となる。
【実施例１】
【００３３】
以下に本発明の一実施例の構成につき、図と共に説明する。
【００３４】
図３は本発明の一実施例による画像形成装置の転写ベルト３付近におけるトナー付着量検出回路の発光素子１及び受光素子２の配置を示す正面図である。
【００３５】
尚発光素子１は図４に示す発光素子１５に対応し、受光素子２は同じく受光素子１１に対応する。
【００３６】
本発明の一実施例による画像形成装置は電子写真方式を適用した構成とされ、この画像形成装置によれば、画像情報で変調されたレーザ光の照射によってＹＭＣＫ（イェロウ、マジェンタ、シアン、ブラック）の各色要素に対応した４個の感光体（図示を省略）上にそれぞれ形成された静電潜像が、該当色のトナーによって現像され各色のトナー画像とされた後、それぞれが重畳して転写ベルト３上に転写される。そしてそのようにして転写ベルト３上に形成されたフルカラー画像が更に所定用紙に転写されることにより所望の印刷物が得られる。
【００３７】
尚このような電子写真方式による画像形成装置の画像形成に係る構成は公知であり（例えば特許文献１参照）、ここではその詳細に関する説明を省略する。
【００３８】
このような構成の画像形成装置において、転写ベルト３上に転写されるトナー画像が所定のトナー付着量を有するか否かにより最終的に得られるフルカラー画像の画質が左右される。このため上記トナー付着量を管理して常に所定値を維持するように調整することが重要である。
【００３９】
そのため本画像形成装置では、所定のタイミングにて、上記感光体から転写され、図３に示す如く転写ベルト３上に付着したトナー４の付着量を検出し、その値が常に一定範囲内に収まるように静電潜像を形成する際に感光体に印加する電圧等を調整する制御を行う。
【００４０】
図３中、上記の如く、１は発光素子、2は受光素子、３は転写ベルト、４は付着量を測定するトナーをそれぞれ示す。
【００４１】
本発明の実施例ではトナー付着量を検出する場合、転写ベルト３上にあるトナー４に発光素子１から光を照射し、その反射光を受光素子２で検知し、その検知結果によりトナーの付着量をする。
【００４２】
図４は本発明の実施例による画像形成装置に設けられた、発光制御回路を含んだトナー付着量検出回路の回路図である。
【００４３】
図４中１１はフォトトランジスタ（受光素子）、１２、１３、１６、２0は調整用抵抗、１４、１７、１８はＮＰＮトランジスタ、１５は発光素子、１９はカレントミラー回路をそれぞれ示す。
【００４４】
図４に示す発光制御回路において、発光素子１５の発光強度を所定の大きさに調整するため、Ｄ／Ａ２１から制御電圧を印加する。Ｄ／Ａ２１によってアナログ電圧値に変換された制御信号はＮＰＮトランジスタ１４に入力される。そして二つの直列抵抗１２、１６には電源電圧Ｖｃｃから２つのＮＰＮトランジスタ１４，１７のベースエミッタ電圧を差し引いた電圧Ｖｒが印加される。
【００４５】
そしてＤ／Ａ２１から直接入力を受けるトランジスタ１４を有する直列回路（以下「１次側回路」と称する）には、上記電圧Ｖｒをこれら抵抗１２，１６の合計抵抗値Ｒ１で割った値（＝Ｖｒ／Ｒ１）の電流値ＩＦが流れる。
【００４６】
そしてこの電流ＩＦがＮＰＮトランジスタ１７，１８よりなる周知のカレントミラー回路１９の機能により、同電流値ＩＦが発光素子１５を有する直列回路（以下「２次側回路」と称する）にも流れる。
【００４７】
そしてこのように２次側回路において実現された電流ＩＦが発光素子１５に流れることにより、発光素子１５は同電流値ＩＦに応じた発光強度で発光する（以下、発光素子１５に流れる電流を「発光電流」と称する）。
【００４８】
図４の発光制御回路では、このように発光素子１5に発光電流ＩＦを流す際、ＮＰＮトランジスタ１４においてＤ／Ａ２１からの入力に対し電圧−電流変換を行った後、カレントミラー回路１９によりその電流値を二次側回路に実現する。すなわちカレントミラー回路１９を介して間接的に発光素子１5に発光電流を流す構成を有する。
【００４９】
同発光制御回路ではカレントミラー回路１9を設けることで、駆動電源Ｖｃｃが低電圧とされた場合においても、発光電流を制限している抵抗１６に、より大きな電圧を印加することが可能となる。これは同抵抗１６を有する１次側回路が発光素子１５を含まないため、発光素子１５による電圧降下分を考慮する必要がないためである。
【００５０】
その結果制御電圧の調整段階数（後述する２ｎ）を増加させることが可能となり、高精度の光量調整を行うことができる。
【００５１】
また、発光素子１５と接地との間にカレントミラー回路１９を構成するＮＰＮトランジスタ１８が挿入されているため、このＮＰＮトランジスタ１８がオフセットの機能をも果たし、もってＤ／Ａ２１から制御電圧が入力されない場合（制御電圧＝０）に発光素子１５を完全に消灯することが可能となる。すなわちカレントミラー回路１９のトランジスタ１８が、図２と共に上述した従来例において符号１１１の部分に挿入するオフセット用ダイオードと同機能を果たす。
【００５２】
また上記発光制御回路において、Ｄ／Ａ２１により制御電圧を印加する代わりにPWM（パルス幅変調）信号を制御信号として印加するような構成も可能である。この場合、別途抵抗とコンデンサとよりなるローパスフィルタをトランジスタ１４の前段に挿入し、ＰＷＭ信号を定電圧信号に変換することが必要である。
【００５３】
このように本発明の実施例の発光制御回路によれば、入力電圧信号（Ｄ／Ａ２１からの入力）を電流信号に変換する電圧―電流変換回路（トランジスタ１４を有する１次側回路）と、前記電圧―電流変換回路により得られた前記電流信号を、発光素子１５を有する他の回路（２次側回路）において実現するためのカレントミラー回路１９を設けた。その結果、電圧―電流変換回路（１２，１４，１６，１７）により得られた電流信号がカレントミラー回路１９により発光素子１５を有する回路（１３，１５，１８）において実現されるため、カレントミラー回路１９を構成するトランジスタ素子１８が前記オフセット用ダイオードとしても機能する。その結果前記制御電圧がゼロの際に発光素子１５に流れる発光電流を実質的にゼロとすることが可能となり、消灯状態を確実に実現し得る（図５中、Ｃ３）。
【００５４】
また前記従来技術の項において説明したオフセット用ダイオードの挿入を不要とすることにより、発光電流、すなわちカレントミラー回路１９を構成する各トランジスタ１７，１８を流れる電流の調整に実施的に寄与可能な制御範囲を広く維持することが可能となる。
【００５５】
すなわち図５中、横軸のＤ／Ａ２１からの入力に対し、本発明の実施例に対応する曲線Ｃ３のリニアな範囲が前記発光電流の調整に実質的に寄与可能は制御範囲に該当する。図５から明らかなように、本発明の実施例（曲線Ｃ３）による発光電流の調整に実質的に寄与可能は制御範囲は、図１，２と共に上述した従来例（曲線Ｃ１）によるものと同等或いはそれ以上とされ、オフセット用ダイオードを挿入した場合の例（曲線Ｃ２）に比して明らかに広い範囲が得られる。
【００５６】
又、本発明の回路構成によれば上記の如く電圧―電流変換回路（１次側回路）中にダイオードの挿入が不要なため、発光素子１５の最大電流まで調整可能とするために抵抗１６の抵抗値を減少させる必要が無い。その結果上式（１）におけるＲ値に対応する値を減少させる必要がないためＤ／Ａ２１からの入力に対する発光電流の変化の傾きが増加することがない（図６中、曲線Ｃ１３）。その結果Ｄ／Ａ２１からの入力信号の分解能に対し発光電流の分解能が低下することがなく、発光素子１５の発光量の調整精度を高く維持できる。
【００５７】
図７はカレントミラー回路の原理を説明するための図である。
【００５８】
図７中、１次側回路を流れる電流をＩ１，１次側トランジスタのコレクタ電流及びベース電流をそれぞれＩｃ１、Ｉｂ１とし、同様に２次側回路を流れる電流をＩ２，２次側トランジスタのコレクタ電流及びベース電流をそれぞれＩｃ２、Ｉｂ２とした場合、
Ｉ１＝Ｉｃ１＋Ｉｂ１＋Ｉｂ２    ．．．（２）
である。また両トランジスタのベース電位が等しいことから
Ｉｂ１＝Ｉｂ２    ．．．（３）
となる。したがって
Ｉｃ１＝Ｉｃ２    ．．．（４）
となる。ここで（Ｉｂ１＋Ｉｂ２）はＩｃ１に比して無視できる程微少なため、
Ｉ１＝Ｉｃ１    ．．．（５）
と見ることができる。したがって式（２）、（４）、（５）より
Ｉ１＝Ｉ２    ．．．（６）
となる。
【００５９】
したがって図４中のカレントミラー回路１９では、１次側回路のトランジスタ１７に流れる電流と二次側回路のトランジスタ１８に流れるとが等しくなる。
【００６０】
図８は上述の発光制御回路を含む、本発明の実施例によるトナー付着量検出回路の機能ブロック図である。
【００６１】
図８中、制御手段２００は図４中のＤ／Ａ２１、Ａ／Ｄ２３を含み、発光素子２０２（図４中、発光素子１５）からの照射に対し図３中の付着トナー４からの反射光が受光素子２０４（図４中、受光素子１１）で受光されて反射光量が検出され、その検出値からトナー付着量を検出する機能を有する。この制御手段２００は具体的には上記Ｄ／Ａ２１，Ａ／Ｄ２３と接続されてそれらとの間で信号の授受を行い論理演算を行う演算手段（上記トナー付着量検出手段）としてのＣＰＵを含む構成とされる。
【００６２】
図８中、発光手段２０１は図４中のトランジスタ１４を有する１次側回路及び発光素子１５を有する２次側回路に該当し、受光手段２０５は受光素子１１を含む直列回路に該当し、反射体２０３は図３に示す付着トナー４に該当する。
【００６３】
図９は図８中の制御手段２００中のＣＰＵが実行する光量調整動作（トナー付着量検出動作）の流れを示すフローチャートであり、図１０はこの光量調整動作において発光電流値ＩＦを調整する際に使用される電流値格納レジスタの構成を示す図である。
【００６４】
図１０に示す電流値格納レジスタは０乃至ｎ−１の計ｎ桁のビットを有し、２ｎ段階の調整段階を提供する。すなわち当該レジスタのｎビットで表現可能な分解能は２ｎとなる。
【００６５】
図９中、ステップＳ１にて制御手段２００のＤ／Ａ２１から電圧信号が発せられることにより図４の回路を介して発光素子１５の発光が開始される。
【００６６】
ステップＳ２にて上記発光量の調整段階を示す変数ｘにｎが代入され、ステップＳ３にてこの変数ｘから１が引かれる。
【００６７】
そしてステップＳ４にてｘが０以上か否かが判定され、０未満であればステップＳ８に移行しこの動作が終了される。他方０以上の場合（ステップＳ４のＹＥＳ）、ステップＳ５にて図１０に示すレジスタ中の第ｘビットに１をセットする。尚、当該レジスタのｎ桁のビットは各々その初期値がゼロとされている。
【００６８】
そして当該レジスタのｎビットのディジタル値に対応する値が制御手段２００のＣＰＵからＤ／Ａ２１に出力され、図４の回路により、その値に応じた光強度にて発光素子２０２（１５）から発光がなされる。
【００６９】
その発光の結果付着トナー４で反射され受光素子２０４（１１）にて得られた反射光の光量が所定の基準値と比較され（ステップＳ６）、その結果基準値以上（ＹＥＳ）であればステップＳ３に戻り、基準値未満であれば（ＮＯ）ステップＳ７にて第ｘビットに０をセットする。
【００７０】
このような動作が繰り返されることにより、図１０に示すレジスタのｎ桁のビットの値がそれぞれ決定されることになる。
【００７１】
このようにして得られたレジスタの値は図３に示す転写ベルト３上のトナー付着量を示し、この値を基に上記静電潜像形成時の感光体の印加電圧等を調整することにより、感光体上のトナー付着量を調整し、もって転写ベルト３上のトナー付着量を調整する。その結果、当該画像形成装置におけるトナー付着量を常に所定の値に維持することが可能となる。
【図面の簡単な説明】
【００７２】
【図１】従来の一例のトナー濃度検出回路の回路図である。
【図２】従来技術の問題点を説明するための回路図である。
【図３】本発明の一実施例による画像形成装置におけるトナー付着量検出機能に係る部分を示す図である。
【図４】本発明の一実施例による画像形成装置内に設けられたトナー付着量検出回路（発光制御回路）の回路図である。
【図５】本発明の実施例の作用効果を説明するための図（その１）である。
【図６】本発明の実施例の作用効果を説明するための図（その２）である。
【図７】カレントミラー回路の原理を説明するための図である。
【図８】本発明の一実施例による画像形成装置におけるトナー付着量検出部の構成を示す機能ブロック図である。
【図９】図８に示すトナー付着量検出部におけるトナー付着量検出動作の流れを示すフローチャートである。
【図１０】図９に示すトナー付着量検出部における電流値格納レジスタの説明のための図である。
【符号の説明】
【００７３】
１，１５、２０２  発光素子
２，１１、２０４  受光素子
３  転写ベルト
４  付着トナー
１４  電圧―電流変換用トランジスタ
１７、１８  カレントミラー回路を構成するトランジスタ
１９  カレントミラー回路
２００  制御手段
２０１  発光手段
２０２  受光手段
【図１】
2007079501.tif 000003
【図２】
2007079501.tif 000004
【図３】
2007079501.tif 000005
【図４】
2007079501.tif 000006
【図５】
2007079501.tif 000007
【図６】
2007079501.tif 000008
【図７】
2007079501.tif 000009
【図８】
2007079501.tif 000010
【図９】
2007079501.tif 000011
【図１０】
2007079501.tif 000012